(57)【要約】【課題】本発明は、リモコン線と制御基板を電気的に接続する作業の効率化を図りつつ、製造コストの減縮を図ることができる制御ユニット、並びに、熱源装置を提供することを目的とした。【解決手段】制御ユニット８は、ケース１２と給湯制御基板１３と固定端子７を有する。ケース１２は、仕切壁２４が設けられ、端子配置領域２３と基板配置領域２１に分割されている。端子配置領域２３には、端子設置部６がケース１２に一体的に設けられており、導電性の板部材５が、端子設置部６と給湯制御基板１３に跨って配置されている。板部材５は、基板配置領域２１において、給湯制御基板１３と電気的に接続されると共に、端子配置領域２３において、固定端子７と電気的に接続される。これにより、給湯制御基板１３と端子設置部６とが電気的に接続される。【選択図】図５
2013011430.tif 000002
【特許請求の範囲】
【請求項１】
リモコン線を接続する端子と、制御基板と、ケースとを有し、
前記ケースは、前記端子が設けられる端子配置領域と、制御基板が配置される基板配置領域とに分割されている制御ユニットにおいて、
導電性の板部材を有し、
前記板部材は、前記端子配置領域と基板配置領域に跨って配置され、基板配置領域において、制御基板と電気的に接続されると共に、端子配置領域において、端子と電気的に接続されることを特徴とする制御ユニット。
【請求項２】
端子配置領域と基板配置領域とを仕切る仕切壁を有し、
前記板部材は、前記仕切壁を貫通して、あるいは、乗り越えて前記端子配置領域と基板配置領域に跨っていることを特徴とする請求項１に記載の制御ユニット。
【請求項３】
板部材は、端子配置領域と基板配置領域に跨って配置された状態を基準に、それぞれの領域にかかる部分に締結部が設けられ、当該締結部によって、板部材がケースに対して相対的に移動しないように固定されることを特徴とする請求項１又は２に記載の制御ユニット。
【請求項４】
板部材は、端子配置領域と基板配置領域に跨って配置された状態において、ケースに対して係合されていることを特徴とする請求項１〜３のいずれかに記載の制御ユニット。
【請求項５】
板部材は、屈曲して高低差を形成した段部を有することを特徴とする請求項１〜４のいずれかに記載の制御ユニット。
【請求項６】
板部材は、端子配置領域と基板配置領域に跨って配置された状態を基準に、基板配置領域から端子配置領域に向かって少なくとも１つの分岐片が分岐した分岐部を有することを特徴とする請求項１〜５のいずれかに記載の制御ユニット。
【請求項７】
板部材は、屈曲して高低差を形成した段部に分岐部を有するもので、
２つの板部材を、互いに段部の高低が逆転する姿勢で、且つ、分岐部から分岐した分岐片同士が重なるように並べた場合、当該２つの板部材の分岐片同士が立体交差することを特徴とする請求項６に記載の制御ユニット。
【請求項８】
リモコン装置と、湯水又は熱媒体を加熱する加熱部と、加熱部の動作を制御する請求項１〜７のいずれかに記載の制御ユニットを有し、
加熱部で加熱して昇温した湯水そのもの又は熱媒体の熱エネルギーを、外部に供給する機能を備えていることを特徴とする熱源装置。
【発明の詳細な説明】
【技術分野】
【０００１】
本発明は、機器本体を遠隔操作するリモコン装置と接続される制御ユニットに関するものである。また、本発明は、その制御ユニットを備えた熱源装置に関するものである。
【背景技術】
【０００２】
従来より、給湯器等の熱源装置には、利便性の観点から、遠隔の場所からでも操作可能なリモコン装置が備えられている。
この種の熱源装置は、熱源機本体に加熱動作を制御する制御基板が備えられ、その制御基板に導通する端子台に設けられた固定側端子（ネジ等）に、リモコン装置から延びた電装線（リモコン線）を接続する構成とされている。即ち、施工現場において、リモコン線を熱源機本体に引き込み、端子台にネジ止めする配線作業を行うことで、リモコン装置が熱源機本体と電気的に接続される。
【０００３】
この配線作業について、より具体的に説明すると、熱源機本体のケーシング内部を露出させた状態（ケーシングの前面側に位置する蓋部を取り外した状態）で、リモコン装置から延ばしたリモコン線を、当該ケーシングの底部に設けられた電装線用の孔に挿通し、当該リモコン線の接続端子をケーシングの内部に引き込む。そして、蓋部を取り外したケーシングの前面側から、ケーシングの内部に引き込んだリモコン線の接続端子を、ドライバ等の工具によって、ネジ等を介して端子台に接続する。このとき、作業者は、端子台において、熱源機本体に配された制御基板と電気的に接続された電装線（リード線）の接続端子と、リモコン線の接続端子とを共締めする。
例えば、特許文献１には、端子台において、リモコン線とリード線の接続端子を共締めして、リモコン装置と熱源機本体とを電気的に接続する給湯器が開示されている。
【先行技術文献】
【特許文献】
【０００４】
【特許文献１】特開２０００−２９２００５号公報
【特許文献２】特開２００１−１５３４５５号公報
【発明の概要】
【発明が解決しようとする課題】
【０００５】
ところが、上記したような熱源装置においては、リモコン線とリード線との接続端子を共締めする作業に手間が掛かり、作業者の作業効率を低下させていた。
その理由を以下に説明する。
【０００６】
即ち、従来の熱源装置における配線作業の共締め工程は、まず、端子台において、ネジを緩めた状態にし、そのネジの頭部と端子台との間に、それぞれの接続端子を配する。このとき、作業者は、それぞれの接続端子が端子台から逸脱しないように、リモコン線とリード線を保持しなければならない。そして、作業者は、その状態を維持して、ネジを締め、双方の接続端子をネジの頭部と端子台とによって挟持させる。
【０００７】
このように、従来技術においては、接続端子を共締めする際には、作業者が、リモコン線とリード線の接続端子を端子台に配してその状態を保持する作業と、ネジを締める作業を同時に行う必要があるため、作業に必要以上の時間が掛かり、作業効率を悪くする不満があった。
【０００８】
また、この種の端子台は、一般的に、制御基板を収容する樹脂製のケースと一体成形されているため、ネジの螺合動作に対する耐久性が低い。即ち、端子台において、接続端子の接続のため、ネジを何度か緩めたり締め付けたりしていると、樹脂が削れて、ネジが端子台に螺合されなくなる。そのため、通常、端子台には、ネジの螺合動作に対する耐久性が高い金属製のナット（インサートナット）が設けられ、そのインサートナットにネジを螺合する構成とされている。
例えば、特許文献２にその技術が開示されている。
【０００９】
しかしながら、このインサートナットは、製造コストを押し上げるため、できるならば使用を避けたいという要望があった。
【００１０】
そこで、本発明では、従来技術の問題点に鑑み、リモコン線と制御基板を電気的に接続する作業の効率化を図りつつ、製造コストの減縮を図ることができる制御ユニット、並びに、熱源装置の提供を課題とする。
【課題を解決するための手段】
【００１１】
上記課題を解決するため、請求項１に記載の発明は、リモコン線を接続する端子と、制御基板と、ケースとを有し、前記ケースは、前記端子が設けられる端子配置領域と、制御基板が配置される基板配置領域とに分割されている制御ユニットにおいて、導電性の板部材を有し、前記板部材は、前記端子配置領域と基板配置領域に跨って配置され、基板配置領域において、制御基板と電気的に接続されると共に、端子配置領域において、端子と電気的に接続されることを特徴とする制御ユニットである。
【００１２】
本発明の制御ユニットは、制御基板が配置される基板配置領域と、端子が配置される端子配置領域とに分割されたケースにおいて、導電性の板部材をその双方の領域に跨って配し、その板部材が配された端子にリモコン線を接続して、当該リモコン線を制御基板に電気的に接続する構成である。即ち、本発明では、従来技術で要した制御基板と電気的に接続されたリード線は存在しないため、リモコン線とリード線の双方を保持した状態で、双方の接続端子を共締めする必要がない。より詳細に説明すると、本発明では、従来技術におけるリード線の導電機能を、板部材が果たしているため、例えば、その板部材を基板配置領域で固定しておけば、端子配置領域側の端子にリモコン線を接続する際に、リモコン線のみを保持した状態で端子への接続作業を行うことができ、作業性の向上を図ることができる。
【００１３】
また、導電性を有する部材は、一般的には金属が多く、鋼材等の剛性が高いものであれば、例えば端子としてネジ等の締結部材を採用した場合であっても、ネジ等の螺合動作に対する耐久性が期待できる。これにより、ケースがネジ等の螺合動作によって削れてしまったとしても、端子と板部材の間にリモコン線を接続しておけば、電気的な接続が維持される。したがって、本発明によれば、ネジ等の螺合動作を幾度となく行っても、ネジ等の締結力が期待できないというおそれが発生しない。結果的に、本発明では、ネジ等を端子として用いる場合であっても、従来技術で採用していたインサートナット等の被締結部材を要さないため、従来よりも製造コストを減縮することができる。
以上により、本発明によれば、リモコン線と制御基板を電気的に接続する作業の効率化を図りつつ、製造コストの減縮を図ることができる制御ユニットを提供することが可能である。
【００１４】
請求項２に記載の発明は、端子配置領域と基板配置領域とを仕切る仕切壁を有し、前記板部材は、前記仕切壁を貫通して、あるいは、乗り越えて前記端子配置領域と基板配置領域に跨っていることを特徴とする請求項１に記載の制御ユニットである。
【００１５】
ここで、制御基板が配置されるケースは、通常、防滴や防湿の観点から、箱形状とされている。一方、端子配置領域は、施工現場における作業の効率化の観点から、基板配置領域と分割することが望ましい。そこで、本発明では、端子配置領域と基板配置領域とを仕切る仕切壁を備えた構成を前提としている。
即ち、本発明の制御ユニットでは、端子と制御基板とを電気的に接続する板部材を、仕切壁を貫通するように設けたり、仕切壁の形状に沿って乗り越えるように設ける構成とされている。即ち、本発明は、従来よりある既存のケースの機能を確保した状態で、板部材の取り付けを可能とする。具体的には、基板配置領域においては、基板が確実に固定されてケースと相対的に移動してしまうことがなく、そのような機能を維持した状態で、板部材による制御基板との電気的接続を可能とするため、従来のケースよりも機能性が高い。換言すれば、ケースの構造を大幅に変更することなく板部材を採用できる構成に変更できるため、製造コストの増加をさせることなく、機能性の高い制御ユニットを提供することができる。
【００１６】
請求項３に記載の発明は、板部材は、端子配置領域と基板配置領域に跨って配置された状態を基準に、それぞれの領域にかかる部分に締結部が設けられ、当該締結部によって、板部材がケースに対して相対的に移動しないように固定されることを特徴とする請求項１又は２に記載の制御ユニットである。
【００１７】
かかる構成によると、各領域にかかる部分に設けられた締結部によって、板部材をケースに対して相対的に移動しないように固定可能であるため、効率的な配線作業を実施可能である。即ち、本発明では、基板配置領域における締結部を締結状態にして、端子配置領域における締結部の締結状態を解除しても、板部材が所定の位置から逸脱することがないため、リモコン線の接続作業が容易である。
【００１８】
請求項４に記載の発明は、板部材は、端子配置領域と基板配置領域に跨って配置された状態において、ケースに対して係合されていることを特徴とする請求項１〜３のいずれかに記載の制御ユニットである。
【００１９】
かかる構成によると、板部材が、端子配置領域と基板配置領域に跨って配置した状態において、ケースに対して係合されているため、板部材のケースからの脱落の可能性を低くできる。即ち、板部材がネジ等の端子を介して、ケースに固定される構成であった場合、ネジ等とケースとの締結力の低下により、板部材がケースから脱落する可能性があるが、板部材がケースに対して係合可能な構成とすることで、ネジ等とケースとの締結力の有無に関わらず、板部材がケースに対して係合している限り、板部材をケースに対して固定された状態を維持することができる。
また、従来技術であれば、ネジ等とケースとの締結力の低下を阻止する観点から、インサートナット等の被締結部材を採用するが、本発明においては、そのような被締結部材を用意する必要がないため、実質的に部品点数を減らせ、製造コストの低下に繋げることができる。
【００２０】
請求項５に記載の発明は、板部材は、屈曲して高低差を形成した段部を有することを特徴とする請求項１〜４のいずれかに記載の制御ユニットである。
【００２１】
２以上のリモコン装置を取り付ける場合、つまり２芯で１組のリモコン線を２組以上、端子に接続する場合、作業の効率化の観点から、端子が位置する部分を段状に形成した構成を備えたものがある。例えば、２芯１組のリモコン線を２組接続できる端子を用意する場合、高位置に異なる極性のＡ端子、Ｂ端子を配し、低位置にもＡ端子、Ｂ端子を配するといった具合のレイアウトにする場合がある。即ち、従来より、高位置のＡ、Ｂ端子に１組のリモコン線を接続し、低位置のＡ、Ｂ端子に別の１組のリモコン線を接続する構成を備えたものがある。なお、ここで言う「異なる極性」とは、極性がプラスの信号線と、極性がマイナスのＧＮＤ線（グランド線）のことを意味している。
そこで、本発明では、そのような段状の形状に合わせて、制御基板側から同一の極性端子を振り分ける構造を備えたケースであっても、適応できる構成とした。
即ち、本発明の制御ユニットでは、板部材に段部が設けられ、その段部によって、同一極性の端子が位置する部分の段状に沿わせることができるため、既存のケースを有効利用しつつ、板部材を採用可能な構成とすることができる。即ち、本発明によれば、ケースの構造を殆ど変更する必要がないため、製造コストを押し上げることがない。
【００２２】
請求項６に記載の発明は、板部材は、端子配置領域と基板配置領域に跨って配置された状態を基準に、基板配置領域から端子配置領域に向かって少なくとも１つの分岐片が分岐した分岐部を有することを特徴とする請求項１〜５のいずれかに記載の制御ユニットである。
【００２３】
２以上のリモコン装置を取り付ける場合、つまり２芯で１組のリモコン線を２組以上、端子に接続する場合、ケースのサイズやレイアウト等の観点から、端子が１列に並べられた構成を備えたものがある。例えば、２芯１組のリモコン線を２組接続できる端子を用意する場合、異なる極性のＡ端子、Ｂ端子が交互に配列されるといった具合のレイアウトにする場合がある。即ち、従来より、隣接するＡ、Ｂ端子に１組のリモコン線を接続し、残りのＡ、Ｂ端子に別の１組のリモコン線を接続する構成を備えたものがある。なお、ここで言う「異なる極性」とは、極性がプラスの信号線と、極性がマイナスのＧＮＤ線（グランド線）のことを意味している。
そこで、本発明では、そのような条件に合わせて、制御基板側から同一の極性端子を振り分ける構造を備えたケースであっても、適応できる構成とした。
即ち、本発明の制御ユニットでは、板部材に分岐部から分岐する分岐片が設けられ、その分岐片によって、同一極性の端子が位置する部分に合わせることができるため、既存のケースを有効利用しつつ、板部材を採用可能な構成とすることができる。即ち、本発明によれば、ケースの構造の変更を要することが殆どないため、製造コストを押し上げることがない。
【００２４】
請求項７に記載の発明は、板部材は、屈曲して高低差を形成した段部に分岐部を有するもので、２つの板部材を、互いに段部の高低が逆転する姿勢で、且つ、分岐部から分岐した分岐片同士が重なるように並べた場合、当該２つの板部材の分岐片同士が立体交差することを特徴とする請求項６に記載の制御ユニットである。
【００２５】
かかる構成によると、１列に並べられた端子に、２以上の板部材を並設する場合であっても、隣接する板部材の段部同士を互いに高低が逆転する姿勢とし、分岐片同士を重なるように並べることで、隣接する板部材を接触させることなく、それぞれの端子に対して電気的に接続することができる。即ち、本発明によれば、形状が異なる板部材を要することなく、複数の組数のリモコン線を同時に繋ぐことができるため、板部材の導入コストを安価にすることができる。
【００２６】
請求項８に記載の発明は、リモコン装置と、湯水又は熱媒体を加熱する加熱部と、加熱部の動作を制御する請求項１〜７のいずれかに記載の制御ユニットを有し、加熱部で加熱して昇温した湯水そのもの又は熱媒体の熱エネルギーを、外部に供給する機能を備えていることを特徴とする熱源装置である。
【００２７】
本発明の熱源装置は、リモコン装置から延びたリモコン線を制御ユニットに効率的に接続する構成である。即ち、本発明では、制御ユニットが板部材を有し、その板部材をケースにおいて２分割された端子配置領域と基板配置領域とに跨って配し、端子と制御基板とを電気的に接続した構成とされている。これにより、リモコン線を端子に接続する際に、リモコン線のみを保持して接続作業を行うことができるため、作業効率が高い。
また、本発明では、板部材にネジ等の端子を螺合させることができるため、ネジ等の螺合動作により、端子と板部材との締結力が弱まる可能性が低い。即ち、本発明では、ネジ等を端子として用いる場合であっても、従来技術で採用していたインサートナット等の被締結部材を要さないため、従来よりも製造コストを減縮することができる。
【発明の効果】
【００２８】
本発明の制御ユニット、並びに、熱源装置では、制御ユニットのケースにおいて２分割された端子配置領域と基板配置領域とに跨って板部材を配置し、当該板部材によって制御基板と端子とを電気的に接続した構成とした。さらに、ネジ等の端子を、板部材に締結する構成とし、インサートナット等の被締結部材を不要とした。これにより、リモコン線の配線作業の効率化が図れ、さらに製造コストの減縮を行うことができる。
【図面の簡単な説明】
【００２９】
【図１】本発明の実施形態を示す給湯装置の説明図である。
【図２】図１の給湯器本体に内蔵された制御ユニットの内部を概念的に示した平面図である。（第一実施形態）
【図３】図２の要部を拡大した分解斜視図である。
【図４】図３の板部材をＣ方向から示した斜視図である。
【図５】図２の要部を拡大した斜視図である。
【図６】図５に示す端子設置部と補助接続部と板部材を示すＤ−Ｄ断面図である。
【図７】制御ユニットの変形例を概念的に示した平面図である。（第二実施形態）
【図８】図７の要部を拡大した分解斜視図である。
【図９】図８の端子設置部をＥ方向から示した説明図である。（破線はネジ穴）
【図１０】図７の要部を拡大した斜視図である。
【図１１】図１０に示す端子設置部と補助接続部と板部材を示すＦ−Ｆ断面図である。
【図１２】制御ユニットのさらに別の変形例を概念的に示した平面図である。（第三実施形態）
【図１３】図１２の要部を拡大した分解斜視図である。
【図１４】図１２の要部を拡大した斜視図である。
【図１５】図１４に示す端子設置部と補助接続部と板部材を示すＧ−Ｇ断面図である。
【図１６】補助接続部を省略した要部の構成を示す断面図である。（直接接続）
【図１７】第二実施形態の仕切壁の変形例を示す分解斜視図である。（スライド孔）
【図１８】第二実施形態の端子設置部の変形例を示す分解斜視図である。（独立挿通孔）
【図１９】第二実施形態の端子設置部の別の変形例を示す断面図である。（独立部材）
【発明を実施するための形態】
【００３０】
以下に、本発明の第一実施形態に係る給湯装置（熱源装置）１について説明する。
本実施形態の給湯装置１は、図１に示すように、給湯器本体２と、その給湯器本体２を遠隔操作可能なリモコン装置３を備えた構成である。
【００３１】
まず、給湯装置１の基本構成について説明するが、この基本構成については、公知のそれと同様であるため、簡単に説明する。
即ち、給湯器本体２は、燃料を燃焼する図示しない燃焼部（加熱部）と、図示しない給湯系統及び追いだき系統の湯水の流路とを有し、さらに図２に示す給湯制御基板１３が内蔵された制御ユニット８とを有するもので、給湯系統を流れる湯水を燃焼部で生成された燃焼ガスで加熱する給湯運転（風呂への落とし込み運転含む）と、追いだき系統を流れる湯水を燃焼部で生成された燃焼ガスで加熱する追いだき運転とが、給湯制御基板１３において制御される構成とされている。
【００３２】
リモコン装置３は、図１に示すように、給湯器本体２に動作等の指令を発信可能な操作部３０と、給湯器本体２の運転状況や各種設定情報等を表示する表示部３１と、リモコン制御基板（図示しない）とを有するもので、操作部３０における操作情報を、給湯器本体２に入力して所望の動作を制御したり、リモコン制御基板によって、操作部３０で設定された設定情報や給湯器本体２から入力された運転状況の情報等を表示部３１に表示する構成とされている。
なお、本実施形態では、台所用と浴室用の２台のリモコン装置３が用意されており、その２台のうち、一方のリモコン装置３ａを親機リモコンとし、他方のリモコン装置３ｂを子機リモコンとしている。
【００３３】
続いて、本実施形態の特徴的構成を備えた制御ユニット８について説明する。
本実施形態の制御ユニット８は、図２に示すように、外郭を形成するケース１２と、給湯制御基板１３及び電力供給手段１５と、導通性を備えた板部材５と、固定端子７とで構成されている。
【００３４】
給湯制御基板１３は、公知のそれと同様の機能を有するもので、主に給湯器本体２の動作を司る制御部であり、リモコン装置３と電気的に接続されるものである。即ち、給湯制御基板１３は、外部の機器等との電気的な接続を補助する２つの補助接続部１６、１７を有する。
補助接続部１６、１７は、図３に示すように、給湯制御基板１３の上部表面であって縁端側に設けられた導通性を有した直方体の部材であり、補助接続部１６、１７のそれぞれが互いに異なる極性となるように設定されている。即ち、補助接続部１６、１７のそれぞれに、１つずつの板部材５が載置されると、それぞれの板部材５が異なる極性で給湯制御基板１３と電気的に接続される。結果的に、本実施形態における補助接続部１６、１７は、端子が配される端子台とも言える。なお、ここで言う「異なる極性」とは、極性がプラスの信号線と、極性がマイナスのＧＮＤ線（グランド線）のことを意味している。
【００３５】
また、各補助接続部１６、１７には、上部から内部に向かって形成された有底状のネジ穴２７、２８が設けられており、このネジ穴２７、２８は、補助接続部１６、１７に載置された板部材５の位置を固定するための固定手段の一部としての機能を果たす。
なお、補助接続部１６、１７は、給湯制御基板１３と一体でも別体でもよい。本実施形態では、補助接続部１６、１７は、給湯制御基板１３と一体的となったものとして説明する。
【００３６】
電力供給手段１５は、公知のそれと同様の機能を有するもので、商用電源から供給される電力を給湯装置１を構成する各機器に供給するための電源機能を果たす部分である。
【００３７】
ケース１２は、２部材を合わせて形成される筐体であり、内部側には内部空間を複数に仕切る仕切壁２４が設けられた構成とされている。そして、ケース１２の内部空間は、その仕切壁２４によって、大別して３つの領域に分割されている。
具体的には、前記２部材のうちの一方（以下、本体１２ａという）側に注目して説明すると、図２に示すように、仕切壁２４は、本体１２ａ側の上部側（図２の紙面手前側）の開放面と対向する底面（図２の紙面奥側）に立設した壁部である。そして、その壁部たる仕切壁２４によって、給湯制御基板１３が配される基板配置領域２１と、電力供給手段１５が配される電源配置領域２２と、固定端子７が配される端子配置領域２３とに分割されている。さらに、各領域の位置関係は、図２を基準に、基板配置領域２１は左側に位置し、電源配置領域２２はその基板配置領域２１の右側に位置し、端子配置領域２３は基板配置領域２１の直下に位置した配置である。
なお、基板配置領域２１及び電源配置領域２２についての具体的な説明は、公知のそれと同様であるため省略する。
【００３８】
本体１２ａ側の端子配置領域２３には、ケース１２と一体的に成形された端子設置部６が設けられている。端子設置部６は、図３に示すように、階段状に形成された部分であり、基板配置領域２１と端子配置領域２３との間の仕切壁２４（以下、基板・端子仕切壁２４ｓという）側から、離反方向に段部が低くなる構成とされている。具体的には、本実施形態では、端子設置部６は、基板・端子仕切壁２４ｓに隣接するように設けられ、基板・端子仕切壁２４ｓに近い位置に配された高段部６ａと、その高段部６ａに隣接し高段部６ａより基板・端子仕切壁２４ｓから離反した位置に配された低段部６ｂを有する２段構造とされている。
【００３９】
また、端子設置部６の上面４６には、上部から内部に向かって形成された複数（本実施形態では４つ）の有底状のネジ穴４０〜４３が設けられている。ネジ穴４０〜４３は、高段部６ａと低段部６ｂにそれぞれ設けられており、高段部６ａの上面４６ａにおいては、基板・端子仕切壁２４ｓに対して平行に並ぶように２つのネジ穴４０、４２が設けられ、低段部６ｂの上面４６ｂにおいては、残りの２つのネジ穴４１、４３が、基板・端子仕切壁２４ｓに対して平行に並ぶように設けられている。さらに、本実施形態では、高段部６ａのネジ穴４０と低段部６ｂのネジ穴４１を結ぶ直線と、高段部６ａのネジ穴４２と低段部６ｂのネジ穴４３を結ぶ直線が、ほぼ平行となる関係に設定されている。
【００４０】
また、この端子設置部６の基板・端子仕切壁２４ｓに対して平行な側面４５には、上部から下方に向かって当該側面４５に対して離反する形状、つまりテーパ形状を有した複数（本実施形態では６つ）の係合突部３２〜３７が設けられている。係合突部３２〜３７は、各側面４５ａ〜４５ｃの上端側に配されており、高段部６ａには４つ、低段部６ｂには２つ設けられている。より具体的には、高段部６ａの側面４５ａにおいては、係合突部３２、３５が同一の高さに配され、高段部６ａの側面４５ｂにおいては、係合突部３３、３６が同一の高さに配され、低段部６ｂの側面４５ｃにおいては、係合突部３４、３７が同一の高さに配されている。さらに、本実施形態では、高段側６ａの係合突部３２、３３と低段部６ｂの係合突部３４が同一の直線上に配列され、高段側６ａの係合突部３５、３６と低段部６ｂの係合突部３７が同一の直線上に配列されている。
【００４１】
さらに、本実施形態においては、端子設置部６は、高段部６ａと低段部６ｂに渡って上面４６から立設した中央壁４７を有する。中央壁４７は、基板・端子仕切壁２４ｓに対して直交方向に並べられたネジ穴４０〜４３あるいは係合突部３２〜３７の間に位置し、且つ、基板・端子仕切壁２４ｓに対して直交する方向に延びた壁部である。即ち、端子設置部６の上面４６は、中央壁４７によって２つの領域に分断されている。
【００４２】
本実施形態における板部材５は、導電性を有する金属（本実施形態では鋼製のものが採用されている）であって、小片の長尺体を折り曲げて加工して形成された部材である。具体的には、板部材５は、長手方向の中途に折り曲げ加工により形成された折曲段部４８と、部材厚方向に貫通した複数（本実施形態では３つ）の締結用孔３８ａ〜３８ｃ及び複数（本実施形態では３つ）の係合孔３９ａ〜３９ｃとを有する。
【００４３】
折曲段部４８は、板部材５の長手方向に直交する方向に折り曲げて形成された部分で、折曲段部４８以外の部分に対して直交する２つの垂直部４８ａ、４８ｂと、その垂直部４８ａ、４８ｂの間に位置し当該垂直部４８ａ、４８ｂに対して直交する、つまり折曲段部４８以外の部分に対して平行な１つの平行部４８ｃによって形成されている。即ち、折曲段部４８は、板部材５の一方の端部のみを含むように側面視した場合に、「柄杓」の「杓」に見える部分である。
【００４４】
締結用孔３８ａ〜３８ｃは、板部材５の長手方向の端部近傍に１つずつと、折曲段部４８の平行部４８ｃに１つ設けられ、且つ、各締結用孔３８ａ〜３８ｃが、同一の直線上に所定の間隔を空けて位置するように配されている。なお、締結用孔３８ａ〜３８ｃ同士の間隔は、ケース１２に給湯制御基板１３が取り付けられた状態を基準に、補助接続部１６、１７のネジ穴２７、２８や、端子設置部６のネジ穴４０〜４３と連通し得る間隔に設定されている。
【００４５】
係合孔３９ａ〜３９ｃは、図３、４に示すように、板部材５の一方の端部近傍に１つと、折曲段部４８の垂直部４８ａ、４８ｂに１つずつ設けられている。具体的には、板部材５の端部近傍に設けられた係合孔３９ｃは、板部材５の当該端部を直角に折り曲げた孔形成部５０であって、当該孔形成部５０の基端から突端側（図３の下方側）に若干ずれた位置に配され、垂直部４８ａ、４８ｂに設けられた係合孔３９ａ、３９ｂは、垂直部４８ａ、４８ｂの平行部４８ｃ側から反対側（図３、４の下方側）に若干ずれた位置に配されている。なお、ここで言う「若干」とは、板部材５の部材厚程度の大きさである。
【００４６】
固定端子７は、単なるネジであり、本実施形態では６つ用意されている。
【００４７】
次に、制御ユニット８における給湯制御基板１３と端子設置部６と板部材５の位置関係に注目して説明する。
本実施形態では、前記したように、ケース１２内において、基板配置領域２１と端子配置領域２３とが基板・端子仕切壁２４ｓによって分割されており、図２、３に示すように、端子配置領域２３の所定の位置に配されるように、端子設置部６がケース１２に一体的に設けられている。
給湯制御基板１３は、基板配置領域２１の基板・端子仕切壁２４ｓで囲まれた四角形の領域内に全てが収まる配置とされている。そして、給湯制御基板１３が、前記したような所定の位置に設置された際、給湯制御基板１３の補助接続部１６、１７と、端子設置部６とが、基板・端子仕切壁２４ｓの後述する切欠部５１を挟んで対峙する位置関係となる。
【００４８】
即ち、本実施形態では、補助接続部１６、１７と端子設置部６は、図２に示すように、補助接続部１６のネジ穴２７と端子設置部６のネジ穴４０、４１とが同一の直線Ａ上に配されると共に、補助接続部１７のネジ穴２８と端子設置部６のネジ穴４２、４３とが別の同一の直線Ｂ上に配されている。さらにこのとき、直線Ａ上には、端子設置部６における係合突部３２〜３４が配され、直線Ｂ上には、端子設置部６における係合突部３５〜３７が配されている。
【００４９】
２つの板部材５のそれぞれは、基板配置領域２１と端子配置領域２３に跨るように補助接続部１６、１７と端子設置部６に載置されている。
ここで、本実施形態では、板部材５を基板配置領域２１と端子配置領域２３に跨って配置するにあたって、基板・端子仕切壁２４ｓが障害となるため、補助接続部１６、１７と端子設置部６との間の一部の区間を切り欠いた切欠部５１を設けている。本実施形態における切欠部５１は、本体１２ａ側の基板・端子仕切壁２４ｓの上部から下方に向かって切り欠いた部分で、２つの板部材５を並列（長手側の辺が対向した配列）して配することができる幅（基板・端子仕切壁２４ｓの延伸方向長さ）を備えている。
即ち、２つの板部材５は、図５に示すように、補助接続部１６、１７と端子設置部６を繋ぐように配した状態においては、中途が基板・端子仕切壁２４ｓの切欠部５１を跨いだ配置である。
【００５０】
また、この状態においては、図５、６に示すように、２つの板部材５の各係合孔３９ａ〜３９ｃのそれぞれが、端子設置部６の各係合突部３２〜３７に係合すると共に、２つの板部材５の締結用孔３８ａ〜３８ｃが、補助接続部１６、１７のネジ穴２７、２８や端子設置部６のネジ穴４０〜４３にそれぞれ連通した配置となる。そして、それらの連通孔に固定端子７が螺合されている。即ち、基板配置領域２１側においては、固定端子７によって、補助接続部１６、１７に板部材５が接続され、端子配置領域２３側においては、固定端子７によって、端子設置部６に板部材５が接続されている。
【００５１】
続いて、本実施形態におけるリモコン線１１の接続方法について説明する。
本実施形態では、上記したように、２台のリモコン装置３ａ、３ｂを備えた構成とされており、各リモコン装置３ａ、３ｂから延ばした公知の２芯のリモコン線１１ａ、１１ｂを、給湯器本体２に内蔵された制御ユニット８と接続する構成とされている。
また、本実施形態で採用されたリモコン線１１は、公知のそれと同様であり、各芯の端部に、Ｙ型の接続端子５２、５３が取り付けられたものである。
以下、この条件を前提に説明する。
【００５２】
まず、ケース１２の本体１２ａの上部（図７の紙面手前側）に位置する開放面を開放した状態で、ドライバ等の工具を用いて、端子設置部６に螺合された４つの固定端子７の締結状態を緩め、それぞれの固定端子７の軸部を端子設置部６の上面側に露出させる。即ち、４つの固定端子７の板部材５に対する締結状態が緩まるように工具を回転する。そして、固定端子７の締結状態が緩んで軸部が露出した状態で、リモコン線１１ａ、１１ｂの接続端子５２、５３を当該軸部に当接するように配置させる。
【００５３】
具体的には、リモコン装置３ａ側に接続されたリモコン線１１ａの接続端子５２、５３を端子設置部６の高段部６ａに配し、リモコン装置３ｂ側に接続されたリモコン線１１ｂの接続端子５２、５３を端子設置部６の低段部６ｂに配する。即ち、リモコン線１１ａの接続端子５２、５３は、図５に示すように、高段部６ａの異なる極性の固定端子７にそれぞれ配され、リモコン線１１ｂの接続端子５２，５３は、低段部６ｂの異なる極性の固定端子７にそれぞれ配される。そして、その状態で、工具を用いて各固定端子７を締結方向に締め、各リモコン線１１ａ、１１ｂの接続端子５２、５３を端子設置部６に対して固定する。即ち、各リモコン線１１ａ、１１ｂの接続端子５２、５３は、固定端子７と板部材５との間で挟持される。これにより、各リモコン線１１ａ、１１ｂは、板部材５と接続された状態となる。
また、上記したように、制御ユニット８内の板部材５は、補助接続部１６、１７に固定されており、給湯制御基板１３と電気的に接続された状態である。
したがって、本実施形態では、板部材５が固定された端子設置部６に、各リモコン線１１ａ、１１ｂを接続することで、各リモコン線１１ａ、１１ｂと給湯制御基板１３とを電気的に接続することができる。
【００５４】
以上のように、本実施形態では、給湯制御基板１３と端子設置部６とを導電性を備えた板部材５で繋ぎ、従来必須としていたリード線を不要としたため、当該リード線とリモコン線１１とを保持しながら配線の接続作業を行う必要がない。即ち、本実施形態によれば、従来技術において手間としていた作業を省け、作業時間を短縮することができるため、配線の接続作業の効率化を図ることができる。
【００５５】
また、本実施形態では、固定端子７を金属製の板部材５に設けた締結用孔３８に締結する構成としたため、比較的高価なインサートナット等を要することなく、固定端子７の締結状態を確保することができる。これにより、製造コストを低減した上で、従来技術と同様、リモコン線１１と給湯制御基板１３との電気的接続を確保することができる。
さらに、本実施形態では、板部材５に係合孔３９を設け、端子設置部６にそれに対応する係合突部３２〜３７を設け、それらの係合作用によって、板部材５を端子設置部６に対して固定できる構成としたため、たとえ固定端子７の端子設置部６に対する締結力がなくなったとしても、板部材５が端子設置部６から外れてしまうことがない。即ち、本実施形態では、板部材５が不意に端子設置部６から逸脱してしまうような事態が起こり得ない。
【００５６】
また、本実施形態では、板部材５を曲げ加工し、さらにケース１２の仕切壁２４に切欠部５１を設けて、板部材５を採用できる環境を形成可能である。即ち、既存の金型を用いて成形したケースを利用できるため、設備投資費が殆ど増加しない。結果的に、製造コストを押し上げる懸念が殆どない。
【００５７】
上記実施形態では、板部材５を曲げ加工し、さらにケース１２の仕切壁２４に切欠部５１を設け、板部材５を切欠部５１を通過するように端子配置領域２３と基板配置領域２１とに跨る配置とした構成を示したが、本発明ではこれに限定されず、板部材に曲げ加工を施すことなく、さらに仕切壁２４に切欠部５１を設けることなく、当該板部材を端子配置領域２３と基板配置領域２１とに跨る配置とした構成であっても構わない。
具体的には、第二実施形態における制御ユニット９では、図７、８に示すように、板部材１８を直線形状とし、さらにケースの仕切壁２４に部材厚方向に貫通する壁側挿通孔６１を設けた構成としている。以下、第二実施形態の特徴的構成に注目して説明し、上記した実施形態と同一の部材については、同一の番号を付して説明を省略する。
【００５８】
まず、第二実施形態における制御ユニット９の構成について説明する。
制御ユニット９は、外郭を形成するケース１２と、給湯制御基板１３及び電力供給手段１５と、導通性を備えた板部材１８と、固定端子７とで構成されている。
制御ユニット９においても、上記実施形態と同様、ケース１２の内部空間が、基板配置領域２１と、電源配置領域２２と、端子配置領域２３の３つに分割されており、その端子配置領域２３には、ケース１２と一体的に成形された端子設置部６０が設けられている。
【００５９】
端子設置部６０は、図８に示すように、階段状に形成された部分であり、基板配置領域２１と端子配置領域２３との間の仕切壁２４（以下、基板・端子仕切壁２４ｔという）側から、離反方向に段部が低くなる２段構造とされている。具体的には、本実施形態における端子設置部６０は、直方体状の低段部６０ｂと、「Ｌ」字型の高段部６０ａとを有し、低段部６０ｂと高段部６０ａとの間に所定の大きさの隙間（挿通孔４９）が形成されるように組み合わされている。より詳細に説明すると、端子設置部６０は、高段部６０ａの一方の端部を低段部６０ｂの上面と対向させると共に、「Ｌ」字の腹部（内側）を低段部６０ｂの上面側に位置するように配して形成されている。即ち、端子設置部６０の挿通孔４９は、高段部６０ａの「Ｌ」字の腹部と低段部６０ｂの上面とによって形成された隙間である。
【００６０】
また、端子設置部６０の上面には、上部から内部に向かって形成された複数（本実施形態では４つ）のネジ穴６２〜６５が設けられている。具体的には、高段部６０ａの上面において基板・端子仕切壁２４ｔに対して平行に並ぶネジ穴６２、６４は、図９に示すように、高段部６０ａの上面から低段部６０ｂの一部に掛かるように鉛直下向きに形成された穴（高段部６０ａ側の貫通孔と低段部６０ｂ側の有底状の穴の複合穴）で、低段部６０ｂの上面において基板・端子仕切壁２４ｔに対して平行に並ぶ残りの２つのネジ穴６３、６５は、図９に示すように、低段部６０ｂの上面から鉛直下向きに形成された有底状の穴である。さらに、上記した実施形態と同様、高段部６０ａのネジ穴６２と低段部６０ｂのネジ穴６３を結ぶ直線と、高段部６０ａのネジ穴６４と低段部６０ｂのネジ穴６５を結ぶ直線が、ほぼ平行となる関係に設定されている。
【００６１】
本実施形態における板部材１８は、導電性を有する金属であって、長尺状のプレート部材である。具体的には、板部材１８は、部材厚方向に貫通した複数（本実施形態では３つ）の締結用孔３８ａ〜３８ｃを有する。
【００６２】
締結用孔３８ａ〜３８ｃは、板部材１８の長手方向の端部近傍に１つずつと、それらの位置より板部材１８の長手方向中央よりに１つ設けられ、且つ、各締結用孔３８ａ〜３８ｃが、同一の直線上に所定の間隔を空けて位置するように配されている。具体的には、締結用孔３８ａ、３８ｃが板部材１８の端部近傍に配され、締結用孔３８ｂが締結用孔３８ｃ寄りに配され、さらにケース１２に給湯制御基板１３が取り付けられた状態を基準に、補助接続部１６、１７のネジ穴２７、２８や、端子設置部６のネジ穴６２〜６５と連通し得る間隔になるような配置とされている。
【００６３】
次に、制御ユニット９における給湯制御基板１３と端子設置部６０と板部材１８の位置関係に注目して説明する。
本実施形態では、補助接続部１６、１７と端子設置部６０は、図７に示すように、補助接続部１６のネジ穴２７と端子設置部６０のネジ穴６２、６３とが同一の直線Ａ上に配されると共に、補助接続部１７のネジ穴２８と端子設置部６のネジ穴６４、６５とが別の同一の直線Ｂ上に配されている。
【００６４】
そして、２つの板部材１８のそれぞれは、基板配置領域２１と端子配置領域２３に跨るように補助接続部１６、１７と端子設置部６０に載置されている。
ここで、本実施形態では、板部材１８を基板配置領域２１と端子配置領域２３に跨って配置するにあたって、基板・端子仕切壁２４ｔが障害となるため、補助接続部１６、１７と端子設置部６０との間の一部の区間に壁側挿通孔６１を設けている。本実施形態における壁側挿通孔６１は、本体１２ａ側の基板・端子仕切壁２４ｔの高さ方向中途に設けられた部材厚方向に形成された貫通した孔である。より具体的には、壁側挿通孔６１は、端子設置部６０の挿通孔４９とほぼ同じ高さに位置し、２つの板部材１８を並列（長手側の辺が対向した配列）して配することができる幅（基板・端子仕切壁２４ｔの延伸方向長さ）を備えている。
即ち、２つの板部材１８は、図１０に示すように、補助接続部１６、１７と端子設置部６０を繋ぐように配した状態においては、中途が基板・端子仕切壁２４ｔの挿通孔６１に挿通された配置である。
【００６５】
また、この状態においては、図１１に示すように、２つの板部材１８の締結用孔３８ａ〜３８ｃが、補助接続部１６、１７のネジ穴２７、２８や端子設置部６０のネジ穴６２〜６５にそれぞれ連通した配置となる。そして、それらの連通孔に固定端子７が螺合されている。即ち、基板配置領域２１側においては、固定端子７によって、補助接続部１６、１７に板部材５が接続され、端子配置領域２３側においては、固定端子７によって、端子設置部６に板部材５が接続されている。
【００６６】
続いて、本実施形態におけるリモコン線１１の接続方法について説明する。
まず、ケース１２の本体１２ａの上部（図７の紙面手前側）に位置する開放面を開放した状態で、ドライバ等の工具を用いて、端子設置部６０に螺合された４つの固定端子７の締結状態を緩め、それぞれの固定端子７の軸部を端子設置部６０の上面側に露出させる。即ち、４つの固定端子７の板部材１８に対する締結状態が緩まるように工具を回転する。そして、固定端子７の締結状態が緩んで軸部が露出した状態で、リモコン線１１ａ、１１ｂの接続端子５２、５３を当該軸部に当接するように配置させる。
【００６７】
具体的には、リモコン装置３ａ側に接続されたリモコン線１１ａの接続端子５２、５３を端子設置部６の高段部６０ａに配し、リモコン装置３ｂ側に接続されたリモコン線１１ｂの接続端子５２、５３を端子設置部６の低段部６０ｂに配する。即ち、図１０に示すように、リモコン線１１ａの接続端子５２、５３は、高段部６０ａの異なる極性の固定端子７にそれぞれ配され、リモコン線１１ｂの接続端子５２，５３は、低段部６０ｂの異なる極性の固定端子７にそれぞれ配される。そして、その状態で、工具を用いて各固定端子７を締結方向に締め、各リモコン線１１ａ、１１ｂの接続端子５２、５３を端子設置部６０に対して固定する。即ち、図１１に示すように、リモコン線１１ａの接続端子５２、５３は、固定端子７と端子設置部６０との間で挟持され、リモコン線１１ｂの接続端子５２、５３は、固定端子と板部材１８との間で挟持される。これにより、各リモコン線１１ａ、１１ｂは、板部材５と接続された状態となる。
また、上記したように、制御ユニット９内の板部材１８は、補助接続部１６、１７に固定されており、給湯制御基板１３と電気的に接続された状態である。
したがって、本実施形態では、板部材１８が固定された端子設置部６０に、各リモコン線１１ａ、１１ｂを接続することで、各リモコン線１１ａ、１１ｂと給湯制御基板１３とを電気的に接続することができる。
以上の構成によれば、上記実施形態と同様の作用効果を得ることができる。
【００６８】
また、上記した第一、第二実施形態では、２以上のリモコン線１１を、異なる高さに接続可能な段状の端子設置部６、６０を備えた構成を示したが、本発明ではこれに限定されず、２以上のリモコン線１１を同一の高さに接続可能な端子台を備えた構成であっても構わない。
具体的には、第三実施形態における制御ユニット１０では、図１２、１３に示すように、端子設置部６７を直線形状とし、さらにＹ型形状の板部材１９を備えた構成としている。以下、第三実施形態の特徴的構成に注目して説明し、上記した実施形態と同一の部材については、同一の番号を付して説明を省略する。
【００６９】
まず、第三実施形態における制御ユニット１０の構成について説明する。
制御ユニット１０は、外郭を形成するケース１２と、給湯制御基板１３及び電力供給手段１５と、導通性を備えた板部材１９と、固定端子７とで構成されている。
制御ユニット１０においても、上記実施形態と同様、ケース１２の内部空間が、基板配置領域２１と、電源配置領域２２と、端子配置領域２３の３つに分割されており、その端子配置領域２３には、ケース１２と一体的に成形された端子設置部６７が設けられている。
【００７０】
端子設置部６７は、図１３に示すように、直方体であり、その長手面が基板配置領域２１と端子配置領域２３との間の仕切壁２４（以下、基板・端子仕切壁２４ｕという）とほぼ平行な配置とされている。
【００７１】
また、端子設置部６７の上面には、上部から内部に向かって形成された複数（本実施形態では４つ）のネジ穴７０〜７３が、端子設置部６７の長手方向に並ぶように設けられている。より具体的には、ネジ穴７０〜７３は、同一の直線上に配されている。
【００７２】
本実施形態における板部材１９は、導電性を有する金属であって、小片の長尺体を折り曲げて加工して形成された部材である。具体的には、板部材１９は、図１３に示すように、板主片５９と、板主片５９から分岐した分岐片５８と、部材厚方向に貫通した複数（本実施形態では３つ）の締結用孔３８ａ〜３８ｃとを有する。
【００７３】
板主片５９は、長手方向の中途に、折り曲げ加工により形成した折曲段部５７を有する。折曲段部５７は、板主片５９の長手方向に直交する方向に折り曲げて形成された部分で、折曲段部５７以外の部分に対して直交する２つの垂直部５７ａ、５７ｂと、その垂直部５７ａ、５７ｂの間に位置し当該垂直部５７ａ、５７ｂに対して直交する、つまり折曲段部５７以外の部分に対して平行な１つの平行部５７ｃによって形成されている。即ち、折曲段部５７は、板主片５９の一方の端部のみを含むように側面視した場合に、「柄杓」の「杓」に見える部分である。
【００７４】
分岐片５８は、板主片５９の折曲段部５７から分岐した「Ｌ」字状部材で、先端側に折り曲げ加工により形成された屈曲部６８を有する。屈曲部６８は、折曲段部５７の垂直部５７ａ、５７ｂと同一形状且つ同一サイズの部分である。即ち、分岐片５８は、屈曲部６８によって、折曲段部５７の平行部５７ｃと同一の平面上に存在する平行面部５８ａと、板主片５９における折曲段部５７以外の部分と同一の平面上に存在する段差面部５８ｂとを有する構成とされている。
【００７５】
締結用孔３８ａ〜３８ｃは、板主片５９の長手方向の端部近傍に１つずつと、分岐片５８の先端側に１つ設けられている。より具体的には、締結用孔３８ａ、３８ｂは、板主片５９における折曲段部５７以外の部分に配され、且つ、締結用孔３８ａ、３８ｂ同士が所定の間隔を空けて位置するように配され、締結用孔３８ｃは、段差面部５８ｂに配されている。なお、締結用孔３８ａ〜３８ｃの具体的な位置関係は、ケース１２に給湯制御基板１３が取り付けられた状態を基準に、補助接続部１６、１７のネジ穴２７、２８や、端子設置部６７のネジ穴７０〜７３と連通し得る程度の位置に設定されている。
【００７６】
次に、制御ユニット１０における給湯制御基板１３と端子設置部６７と板部材１９の位置関係に注目して説明する。
本実施形態では、補助接続部１６、１７と端子設置部６７は、図１２に示すように、補助接続部１６のネジ穴２７と端子設置部６７のネジ穴７０とが同一の直線Ａ上に配されると共に、補助接続部１７のネジ穴２８と端子設置部６７のネジ穴７３とが別の同一の直線Ｂ上に配されている。
【００７７】
そして、２つの板部材１９のそれぞれは、基板配置領域２１と端子配置領域２３に跨るように補助接続部１６、１７と端子設置部６７に載置されている。
ここで、本実施形態では、板部材１９を基板配置領域２１と端子配置領域２３に跨って配置するにあたって、基板・端子仕切壁２４ｕが障害となるため、補助接続部１６、１７と端子設置部６７との間の一部の区間を切り欠いた切欠部５６を設けている。本実施形態における切欠部５６は、本体１２ａ側の基板・端子仕切壁２４ｕの上部から下方に向かって切り欠いた部分で、２つの板部材１９の板主片５９と分岐片５８とが並列（長手側の辺が対向した配列）して収まる幅（基板・端子仕切壁２４ｕの延伸方向長さ）を備えている。
【００７８】
即ち、２つの板部材１９は、図１４に示すように、補助接続部１６、１７と端子設置部６７を繋ぐように配した状態においては、中途が基板・端子仕切壁２４ｕの切欠部５６を跨いだ配置である。具体的には、２つの板部材１９は、互いに折曲段部５７の高低を逆転させて、当該板部材１９の分岐片５８同士が立体交差する姿勢で補助接続部１６、１７と端子設置部６７を繋いだ配置である。換言すると、２つの板部材１９は、分岐片５８同士を立体交差させた状態において、板主片５９の折曲段部５７以外の部分と、分岐片５８の段差面部５８ｂとが同一の平面上に配置されると共に、２つの板部材１９同士のいずれの部分も接触していない配置である。
【００７９】
また、この状態においては、図１５に示すように、２つの板部材１９の締結用孔３８ａ〜３８ｃが、補助接続部１６、１７のネジ穴２７、２８や端子設置部６のネジ穴７０〜７３にそれぞれ連通した配置となる。そして、それらの連通孔に固定端子７が螺合されている。即ち、基板配置領域２１側においては、固定端子７によって、補助接続部１６、１７に板部材１９が接続され、端子配置領域２３側においては、固定端子７によって、端子設置部６７に板部材１９が接続されている。
【００８０】
続いて、本実施形態におけるリモコン線１１の接続方法について説明する。
まず、ケース１２の本体１２ａの上部（図１２の紙面手前側）に位置する開放面を開放した状態で、ドライバ等の工具を用いて、端子設置部６に螺合された４つの固定端子７の締結状態を緩め、それぞれの固定端子７の軸部を端子設置部６の上面側に露出させる。即ち、４つの固定端子７の板部材１９に対する締結状態が緩まるように工具を回転する。そして、固定端子７の締結状態が緩んで軸部が露出した状態で、リモコン線１１ａ、１１ｂの接続端子５２、５３を当該軸部に当接するように配置させる。
【００８１】
具体的には、リモコン線１１ａ、１１ｂの接続端子５２、５３を端子設置部６７に配する。即ち、リモコン線１１ａ、１１ｂは、それぞれの接続端子５２、５３が異なる極性の固定端子７に配される。より具体的には、図１４に示すように、リモコン線１１ａの接続端子５２、５３は、一方が補助接続部１６に接続された板主片５９側に配されると共に、他方が補助接続部１７に接続された分岐片５８側に配され、リモコン線１１ｂの接続端子５２、５３は、一方が補助接続部１７に接続された板主片５９側に配されると共に、他方が補助接続部１６に接続された分岐片５８側に配される。そして、その状態で、工具を用いて各固定端子７を締結方向に締め、各リモコン線１１ａ、１１ｂの接続端子５２、５３を端子設置部６７に対して固定する。即ち、各リモコン線１１ａ、１１ｂの接続端子５２、５３は、固定端子７と板部材１９との間で挟持される。これにより、各リモコン線１１ａ、１１ｂは、板部材１９と接続された状態となる。
また、上記したように、制御ユニット１０内の板部材１９は、補助接続部１６、１７に固定されており、給湯制御基板１３と電気的に接続された状態である。
したがって、本実施形態では、板部材１９が固定された端子設置部６に、各リモコン線１１ａ、１１ｂを接続することで、各リモコン線１１ａ、１１ｂと給湯制御基板１３とを電気的に接続することができる。
以上の構成によれば、上記実施形態と同様の作用効果を得ることができる。
【００８２】
上記した各実施形態では、ケース１２の内部空間を３分割し、端子配置領域２３を基板配置領域２１の直下に配した構成を示したが、本発明ではこれに限定されず、例えば、基板配置領域２１と電源配置領域２２との間に配する構成や、基板配置領域２１の上方、又は左方のいずれに配する構成であっても構わない。いずれの構成であっても、給湯制御基板における補助接続部の位置を端子配置領域の近傍に配する必要がある。
【００８３】
上記した各実施形態では、給湯制御基板１３に補助接続部１６、１７を設けて、その補助接続部１６、１７を介して、板部材５、１８、１９を間接的に給湯制御基板１３に接続する構成を示したが、本発明ではこれに限定されず、板部材５、１８、１９を給湯制御基板１３に直接的に接続する構成であっても構わない。例えば、図１６に示すように、ケース１２の基板配置領域２１にネジを螺合させる固定部７５を設けると共に、給湯制御基板１３における固定部７５の位置に配される部分に貫通孔７６を設け、その固定部７５、貫通孔７６、及び、板部材５の締結用孔３８ａにネジを挿通して、各部材を接続する構成が挙げられる。これにより、補助接続部１６、１７を用いることなく、端子設置部６と給湯制御基板１３とを電気的に接続することができるため、上記実施形態と同様の作用効果を得ることができる。なお、この構成を採用する場合は、給湯制御基板１３における板部材５、１８、１９が当接する部分に、配線パターンを露出しておく必要がある。
【００８４】
上記第一実施形態では、板部材５に係合孔３９を設けると共に、端子設置部６に係合突部３２〜３７を設けて、板部材５が端子設置部６から脱落してしまう可能性を低減する構成を示したが、本発明ではこれに限定されず、係合孔３９及び係合突部３２〜３７を設けない構成であっても構わない。ただし、係合孔３９及び係合突部３２〜３７を設けた構成の方が、板部材５の脱落可能性を低くできるため好ましい構成である。
【００８５】
上記第二実施形態では、仕切壁２４に部材厚方向に貫通した壁側挿通孔６１を備えた構成を示したが、本発明ではこれに限定されず、例えば、図１７に示すように、基板・端子仕切壁２４ｔの上部から下方に切り欠いた切欠部５４ａと、部材厚方向に貫通した孔５４ｂとを組み合わせたスライド孔５４を備えた構成であっても構わない。この構成であれば、板部材１８を切欠部５４ａに沿って孔５４ｂに向けてスライドし、その後、さらにスライドによって所定の位置に配置することができるため、板部材５の取り付けが容易である。
【００８６】
また、上記第二実施形態では、「Ｌ」字型の高段部６０ａの腹部と、低段部６０ｂの上面との間に形成された１つの挿通孔４９に２つの板部材１８を配置する構成を示したが、本発明ではこれに限定されず、端子設置部８０に２つの挿通孔を設け、それぞれの挿通孔に１つずつの板部材１８を配置する構成であっても構わない。
具体的には、図１８に示すように、端子設置部８０は、「山」型部材を逆さにした高段部８０ａと、低段部８０ｂにより構成されており、その高段部８０ａと低段部８０ｂとの間に隙間（挿通孔７７、７８）が形成されたものである。この挿通孔７７、７８は、基板・端子仕切壁２４ｔに沿って並設されており、互いに独立した孔である。このような構成とすることで、端子設置部８０は、上記第二実施形態の端子設置部６０よりも強度が確保できるため、端子設置部８０に対して、不意に外力が掛かったとしても破損する心配がない。
【００８７】
さらに、上記第二実施形態では、板部材１８における端子設置部６０に係る部分が低段部６０ｂの上面に載置される構成を示したが、本発明ではこれに限定されず、端子設置部８１に係る一部の部分が宙に浮いたような構成であっても構わない。即ち、端子設置部８１には、図１９に示すように、互いに独立した高段部８１ａと低段部８１ｂにより構成されたものが挙げられる。より具体的には、板部材１８は、低段部８１ｂに係る部分においては当該低段部８１ｂの上面に載置されるが、高段部８１ｂに係る部分においては低段部８１ｂの上面に載置されることはなく、高段部８１ｂが板部材１８に載置されのみの構成である。この構成によれば、上記第二実施形態に比べて、端子設置部８１に要する樹脂量を実質的に減少させることができるため、製造コストを抑えることができる。
また、上記第二実施形態では、基板・端子仕切壁２４ｔに板部材１８が挿通される壁側挿通孔６１を設けた構成を示したが、本発明ではこれに限定されず、第一実施形態の基板・端子仕切壁２４ｓに設けたような切欠部５１を設けた構成であっても構わない。
【００８８】
第一、第三実施形態では、仕切壁２４に切欠部５１、５６を設け、その切欠部５１、５６を乗り越えるように板部材５、１９を配した構成を示したが、本発明ではこれに限定されず、仕切壁２４に切欠部を設けることなく、板部材が仕切壁２４を乗り越える配置とした構成であっても構わない。
【００８９】
上記した各実施形態では、２台のリモコン装置３を接続した構成を示したが、本発明ではこれに限定されず、１台又は３台以上を接続する構成であっても構わない。
【符号の説明】
【００９０】
１    給湯装置（熱源装置）
２    給湯器本体
３    リモコン装置
５、１８、１９    板部材
６、６０、６７    端子設置部
７    固定端子
１１    リモコン線
１２    ケース
１３    給湯制御基板（制御基板）
１６、１７    補助接続部
２１    基板配置領域
２３    端子配置領域
２４    仕切壁
２７、２８    ネジ穴
３２、３３、３４、３５、３６、３７    係合突部
３８    締結用孔
３９    係合孔
４０、４１、４２、４３    ネジ穴
４８、５７    折曲段部
５１、５６    切欠部
５８    分岐片
６１    挿通孔
６２、６３、６４、６５    ネジ穴
７０、７１、７２、７３    ネジ穴
【図１】
2013011430.tif 000003
【図２】
2013011430.tif 000004
【図３】
2013011430.tif 000005
【図４】
2013011430.tif 000006
【図５】
2013011430.tif 000007
【図６】
2013011430.tif 000008
【図７】
2013011430.tif 000009
【図８】
2013011430.tif 000010
【図９】
2013011430.tif 000011
【図１０】
2013011430.tif 000012
【図１１】
2013011430.tif 000013
【図１２】
2013011430.tif 000014
【図１３】
2013011430.tif 000015
【図１４】
2013011430.tif 000016
【図１５】
2013011430.tif 000017
【図１６】
2013011430.tif 000018
【図１７】
2013011430.tif 000019
【図１８】
2013011430.tif 000020
【図１９】
2013011430.tif 000021